(57)【要約】  【課題】  コスト面におけるユーザの負担を軽減し、シリンジ使用時における作業性の低下を招くことなく、ルアースリップタイプおよびルアーロックタイプの両タイプでシリンジと器具とを接続可能とする医療用コネクタおよびシリンジを提供する。  【解決手段】  コネクタ１は、概略、２つの構成部分としての分割型１１と分割型１２、およびそれらを繋ぎ合わせている連結部１３の３つの要素から構成されている。これら３つの部分は、一体に形成されている。分割型１１、１２は、ともに有底円筒状体を軸方向に二分割した形状を有している（開状態）。  分割型１１、１２には、それぞれの底面部分１１１、１１２に切り欠き１１ｈ、１２ｈが形成されている。切り欠き１１ｈ、１２ｈは、開口された状態にある。そして、分割型１１、１２には、それぞれの内周壁に雄ネジ１１ａ、１２ａが設けられている。  【選択図】  図１
2005296140.tif 000002
【特許請求の範囲】
【請求項１】
ポートにシリンジを拘止するための接続具が、シリンジ本体から突設されたルアー部に取り付けられてなる接続具付シリンジであって、
前記ルアー部には、前記接続具と係合するための係合部が形成され、
前記接続具は、複数の構成部材からなり、且つ、その各々に設けられた連結機構の相互の連結作用により全体として有底筒状体に組み付け可能であり、
前記有底筒状体に組み付けられた状態で、前記ルアー部における係合部と係合し、
前記複数の構成部材間の連結を解除した状態で、前記ルアー部から挿抜自在となる
ことを特徴とする接続具付シリンジ。
【請求項２】
前記複数の構成部材は、相互に対称構造をしており、相互に突き合わされる各端部に切り欠き部を有し、
前記切り欠き部が突き合うことによって係合孔が形成され、当該係合孔により前記ルアー部の係合部と係合する
ことを特徴とする請求項１に記載の接続具付シリンジ。
【請求項３】
前記接続具において、前記複数の構成部材が連結される箇所の内、少なくとも１箇所では、係止爪と被係止爪との噛み合わせをもって連結がなされる
ことを特徴とする請求項１または２に記載の接続具付シリンジ。
【請求項４】
前記ルアー部は、その根元側に縮径された部分を有し、前記係合部は、当該縮径により生じる段差である
ことを特徴とする請求項１から３の何れかに記載の接続具付シリンジ。
【請求項５】
シリンジ本体から突設されたルアー部に取り付けられ、ポートにシリンジを拘止するための接続具であって、
複数の構成部材からなり、且つ、その各々に設けられた連結機構の相互の連結作用により全体として有底筒状体に組み付け可能であり、
前記有底筒状体に組み付けられた状態で、前記ルアー部と係合し、
前記複数の構成部材間の連結を解除した状態で、前記ルアー部から挿抜自在となる
ことを特徴とする接続具。
【請求項６】
前記複数の構成部材は、相互に対称構造をしており、相互に突き合わされる各端部に切り欠き部を有し、
前記切り欠き部が突き合うことによって係合孔が形成され、当該係合孔により前記ルアー部の係合部と係合する
ことを特徴とする請求項５に記載の接続具。
【請求項７】
前記複数の構成部材が連結される箇所の内、少なくとも１箇所では、係止爪と被係止爪との噛み合わせをもって連結がなされる
ことを特徴とする請求項５または６に記載の接続具。
【請求項８】
請求項１から４の何れかに記載の接続具付シリンジを用いることを特徴とする治療および診断に係る処置方法。
【発明の詳細な説明】
【技術分野】
【０００１】
本発明は、接続具付シリンジおよび接続具に関する。
【背景技術】
【０００２】
シリンジは、医療の現場において、注射針や混注ポートをはじめとする種々の器具に対し接続して用いられる。そして、シリンジと器具におけるポートとの接続形態には、大きく分けてルアースリップタイプとルアーロックタイプとの２種類が存在する。
ルアースリップタイプは、シリンジの先端に形成された、先細りテーパ状のルアー部を、切込みの入った弁膜を有するポートに対して、挿入することでシリンジと器具とを接続するものであって、素早い着脱が可能であるという優位性を有している。対して、ルアーロックタイプは、シリンジの先端におけるルアー部の外側を取り囲むように雌ネジを有するコネクタ（ロックナット）を装着しておき、このコネクタをポートの外周に形成された雄ネジに螺合させることでシリンジをポートに対して拘止するものであって、長期にわたって確実な接続が可能であるという優位性を有している。
【０００３】
ところで、医療の現場においては、これら両タイプのポートが共に用いられるので、同じ機能を有するシリンジにおいても、拘止しようとするポートのタイプに応じて、例えば、コネクタを有するか否かの違いだけで２種類のものを用意しておく必要が生じる。
このような効率の悪さを解消するために、例えば、コネクタをルアー部に対して移動可能に形成しておき、必要なときだけコネクタを使用してルアーロックタイプの接続を行い、不要なときにはルアー部に対してコネクタを退避させることでルアースリップタイプの接続を行うことができる医療器具も開発されている（特許文献１参照。）。
【特許文献１】特開平７−１４８２７１号公報
【発明の開示】
【発明が解決しようとする課題】
【０００４】
ところが、上記特許文献１の技術を適用したシリンジでは、器具に対する汎用性を高めることは可能ではあるが、コネクタを本体から脱離させることができないので、あるシリンジで使用したコネクタを取り外して、他のシリンジに対して転用することはできない。即ち、このシリンジでは、ユーザに対してコスト面における負担を強いるという問題を有する。また、このシリンジでは、ルアースリップタイプでポートに接続するために、コネクタが退避可能なようにルアー部を通常より長く形成しておく必要があり、強度の低下などによる作業性の低下、あるいは、シリンジ本体の容量減少などという問題を生じる。
【０００５】
本発明は、このような課題を解決しようとなされたものであって、コスト面におけるユーザの負担を軽減し、シリンジ使用時における作業性の低下を招くことなく、ルアースリップタイプおよびルアーロックタイプの両接続タイプでポートに対して接続が可能な接続具付シリンジおよび接続具を提供することを目的とする。
【課題を解決するための手段】
【０００６】
上記目的を達成するために、
（１）  本発明は、ポートにシリンジを拘止するための接続具が、シリンジ本体から突設されたルアー部に取り付けられてなる接続具付シリンジであって、ルアー部には、接続具と係合するための係合部が形成され、接続具は、複数の構成部材からなり、且つ、その各々に設けられた連結機構の相互の連結作用により全体として有底筒状体に組み付け可能となっており、有底筒状体に組み付けられた状態で、ルアー部における係合部と係合し、複数の構成部材間の連結を解除した状態で、ルアー部から挿抜自在となることを特徴とする。
【０００７】
また、
（２）  本発明は、上記（１）の接続具付シリンジにおいて、複数の構成部材は、相互に対称構造をしており、且つ、相互に突き合わされる各端部に切り欠き部を有し、切り欠き部どうしが突き合うことによって係合孔が形成され、接続具は、この係合孔によりルアー部の係合部と係合することを特徴とする。
【０００８】
また、
（３）  本発明は、上記（１）または（２）の接続具付シリンジの接続具において、複数の構成部材が連結される箇所の内、少なくとも１箇所では、係止爪と被係止爪との噛み合わせをもって連結がなされることを特徴とする。
また、本発明は、
（４）  上記（１）〜（３）の何れかの接続具付シリンジにおいて、ルアー部は、その根元側に縮径された部分を有し、係合部は、当該縮径により生じる段差であることを特徴とする。
【０００９】
さらに、
（５）  本発明は、シリンジ本体から突設されたルアー部に取り付けられ、ポートにシリンジを拘止するための接続具であって、複数の構成部材からなり、且つ、その各々に設けられた連結機構の相互の連結作用により全体として有底筒状体に組み付け可能となっており、有底筒状体に組み付けられた状態で、ルアー部と係合し、複数の構成部材間の連結を解除した状態で、ルアー部から挿抜自在となることを特徴とする。
【００１０】
また、
（６）  本発明は、上記（５）の接続具において、複数の構成部材は、相互に対称構造をしており、且つ、相互に突き合わされる各端部に切り欠き部を有し、切り欠き部どうしが突きあうことによって係合孔が形成され、この係合孔によりルアー部の係合部と係合することを特徴とする。
【００１１】
また、
（７）  本発明は、上記（５）または（６）の接続具において、複数の構成部材が連結される箇所の内、少なくとも１箇所では、係止爪と被係止爪との噛み合わせをもって連結がなされることを特徴とする。
さらに、
（８）  本発明は、治療および診断に係る処置方法において、上記（１）〜（４）の接続具付シリンジを用いることを特徴とする。
【発明の効果】
【００１２】
本発明に係る接続具付シリンジでは、複数の構成部材が有底筒状体に組み付けられた状態と、連結が解除された状態との間で接続具の状態を変形させるだけで、シリンジのルアー部に対して接続具が着脱自在である構成を有している。よって、この接続具付シリンジでは、拘止しようとするポートの接続形態に応じて、ルアーロックタイプおよびルアースリップタイプの両接続タイプを選択して用いることが可能である。
【００１３】
また、この接続具付シリンジでは、使用後あるいは接続具を使用しないような場合に、接続具をシリンジから取り外して他のシリンジなどに転用することも可能である。
従って、本発明に係る接続具付シリンジは、コスト面におけるユーザの負担を軽減し、且つ、シリンジ使用時における作業性の低下を招くことがないとともに、ルアースリップタイプおよびルアーロックタイプの両接続タイプでポートに対して接続可能であって、ポートへの接続時に高い汎用性を有する。
【００１４】
また、本発明に係る接続具では、上記接続具付シリンジに付帯された接続具と同様に、複数の構成部材が有底筒状体に組み付けられた状態と、連結が解除された状態との間で接続具の状態を変形させるだけで、シリンジのルアー部に対して容易に取り付け、取り外しが可能である。よって、シリンジとポートとの接続タイプがルアーロックタイプのときには、シリンジのルアー部に対して接続具を係合させ、接続タイプがルアースリップタイプのときには、脱離させるというように、必要に応じて着脱が可能である。
【００１５】
従って、本発明に係る接続具を用いれば、ポートに対して接続する際のシリンジの汎用性を高めるのに有効である。
【発明を実施するための最良の形態】
【００１６】
（実施の形態１）
（コネクタ１の構成）
本発明の実施の形態に係る接続具であるコネクタ１の構成について、図１を用いて説明する。
図１（ａ）に示すように、コネクタ１は、概略、構成部材としての分割型１１と分割型１２、およびそれらの側壁どうしを連結している連結部１３の３つの要素から構成されている。これら３つの部分は、一体に形成されている。この内、分割型１１、１２は、ともに有底円筒状体を軸方向に沿って二分割した形状を有している。そして、図１（ａ）、（ｂ）では、分割型１１と分割型１２とが開いた状態（以下、「開状態」という。）にある。
【００１７】
分割型１１、１２は、各々有底円筒状体を二分割された形状で、半円筒部分１１２、１２２と半円状の底面部分１１１、１２１を有し、その内の半円筒部分１１２、１２２に互いに噛み合う爪１１ｂ、１２ｂが形成されている。即ち、爪１１ｂ、１２ｂは、分割型１１、１２における連結機構として機能するものであって、分割型１１，１２を連結するときに互いに噛み合い、一度噛み合うと、爪１２ｂを外側に変形させる操作をしない限り連結が解除されないようになっている。また、各分割型１１、１２を上記爪１１ｂ、１２ｂを用いて組み付けた状態（以下、「閉状態」という。）で、突き合うことになる部分である底面部分１１１、１１２には、各々切り欠き１１ｈ、１２ｈが形成されている。切り欠き１１ｈ、１２ｈは、ともに分割線を弦とする半円形をしている。
【００１８】
さらに、分割型１１、１２における半円筒部分１１２、１２２の内壁面には、雄ネジ１１ａ、１２ａが設けられている。これらの雄ネジ１１ａ、１２ａは、分割型１１と分割型１２とが閉状態にあるとき、連続した雄ネジを形成する。
連結部１３は、分割型１１、１２よりも薄い肉厚を有しており、繰り返し開閉操作を行っても切断等されてしまうことがない。
（コネクタ１における開閉機構）
上記構成を有するコネクタ１の開閉機構について、コネクタ１を図１（ａ）の矢印Ａの側から観た図である図１（ｂ）を用いて説明する。
【００１９】
図１（ｂ）に示すように、正面から見た分割型１１、１２は、それぞれ半円形をしている。これら分割型１１、１２を、連結部１３を支点としてそれぞれを折り返した場合には、それぞれが向かい合い、爪１１ｂ、１２ｂが噛み合うことになる。このように爪１１ｂ、１２ｂどうしが噛み合った状態においては、コネクタ１は、略有底円筒形状となる（閉状態）。
【００２０】
このように分割型１１、１２が接合状態となったときには、それぞれに設けられた切り欠き１１ｈ、１２ｈも向かい合うことになり、直径φＤ１を有する一つの円形の孔となる。
なお、分割型１１、１２および連結部１３は、一体に形成されたものであるが、上記のような機能を果すために、例えば、樹脂材料を用いて構成されていることが望ましい。
（シリンジ５の構成）
シリンジ５の概略構成について、図２を用いて説明する。
【００２１】
図２にその一部を示すシリンジ５は、プレフィルドタイプのシリンジであって、シリンジ本体５２の右側端部にルアー部５１が突設されている。ルアー部５１の根元側には、縮径された首部５３が形成されている。また、図示はしていないが、シリンジ５には、プランジャおよびパッキンなどを備え、シリンジ本体５２の筒内方に薬液が充填されている。
シリンジ５を構成する部分の内、ルアー部５１は、先細りのテーパー状をしており、その最大外径がφＤ3である。この外径φＤ3については、上記図１における切り欠き１１ｈ、１２ｈの直径φＤ1よりも大きく設定されている（φＤ3>φＤ1）。そして、ルアー部５１の根元側における首部５３は、外径φＤ2を有する円筒形状を有している。
【００２２】
ルアー部５１における首部５３の先端よりの部分には、段差がついた状態となっており、係合部としての係り部５１ａが形成された状態となっている。
（シリンジ５とコネクタ１との接続）
上記シリンジ５とコネクタ１との接続について、図１および図２を用いて説明する。
図１（ａ）に示すような開状態にあるコネクタ１に対して、シリンジ５のルアー部５１を挿入させて行き、その首部５３が切り欠き１１ｈ、１２ｈのいずれかの縁に沿うように配置する。このとき、シリンジ５の軸とコネクタ１の軸とが略一致するように維持しておく。
【００２３】
次に、コネクタ１に対してシリンジ５が動かないように保持しておき、連結部１３を支点として分割型１１、１２を開口部どうしが向かい合わせとなるように折り返してゆく。分割型１１、１２における各爪１１ｂ、１２ｂが噛み合った時点で、コネクタ１は、有底円筒状となる。このとき、図２に示すように、切り欠き１１ｈと切り欠き１２ｈとは、一つの円形の孔を形成することになり、また、その内径がφＤ1である。
【００２４】
このように閉状態となったコネクタ１に対して、シリンジ５は、その首部５３で係合された状態となる。つまり、ルアー部５１の最大外径φＤ3は切り欠き１１ｈ、１２ｈにより形成される孔の内径φＤ1よりも大きく、ルアー部５１の係り部５１ａがコネクタ１の内底面１１１ａ、１２１ａにより拘束される。このようにしてシリンジ５とコネクタ１とは、接続される。分割型１１、１２は、各２箇所に設けられた爪１１ｂ、１２ｂが噛み合った状態になると、別途取り外しの操作（爪１１ｂと爪１２ｂとの連結解除）を実施しない限り開状態に戻ることはない。
【００２５】
なお、コネクタ１における各分割型１１、１２に形成されている雄ネジ１１ａ、１２ａは、型どうしの接合線１Ｌを跨いで一続きになるように形成されている。
（ルアーロックタイプでのポートとの接続）
コネクタ１を接続した状態のシリンジ５を用い、ルアーロックタイプで他の医療器具のポートに接続するための方法について、図２を用いて説明する。図２では、接続対象として、ポート付きの延長チューブ６を一例として用いている。
【００２６】
図２に示すように、接続対象である延長チューブ６は、ポート６１がチューブ６２の一端側に設けられた構成を有している。ポート６１は、その筒外壁に雌ネジ６１ａが設けられている。この雌ネジ６１ａは、コネクタ１における雄ネジ１１ａ、１２ａに対応するものである。また、図示はしていないが、ポート６１の端面には、その中央部に孔が形成されており、チューブ６２の内管の開口部となっている。
【００２７】
なお、ポート６１の中央部に設けられた孔は、シリンジ５におけるルアー部５１の最大外径φＤ3よりも若干小さい内径を有する。そして、ポート６１の孔には、シリンジ５のルアー部５１が侵入可能となっている。
上記シリンダ５と延長チューブ６とを接続する場合には、シリンジ５に取り付けられたコネクタ１を延長チューブ６におけるポート６１の側に向けて前進させる（矢印Ｂ）。コネクタ１と延長チューブ６のポート６１とが接触した時点で、コネクタ１を矢印Ｃの方に向けて回転させ始め、なおも前進を続ける。これにより、分割型１１、１２にも受けられた雄ネジ１１ａ、１２ａと、延長チューブ６のポート６１に設けられた雌ネジ６１ａとが螺合して行く。この螺合に並行して、シリンジ５におけるルアー部５１は、延長チューブ６のポート６１の端面に設けられた孔に侵入して行く。そして、コネクタ１の雄ネジ１１ａ、１２ａとポート６１の雌ネジ６１ａとが螺合しきったところで、シリンジ５と延長チューブ６とが接続される。
【００２８】
以上のように、間にコネクタ１を介して接続（ルアーロックタイプでの接続）されたシリンジ５と延長チューブ６とは、確実な接続がなされ、長期にわたっても外れたり、緩んだりするということが生じ難い。
（ルアースリップタイプでのポートとの接続）
ルアースリップタイプでのシリンジ５と他の医療器具との接続について、図３を用いて説明する。図３では、シリンジ５との接続対象として、混注ポート７および注射針８を一例としている。
【００２９】
図３に示すように、ルアースリップタイプでの接続においては、コネクタ１を接続しない状態のシリンジ５を用いる。これについては、最初からコネクタ１が接続されていない状態のものを使用してもよいし、コネクタ１が取り付けられた状態でユーザが入手したものからコネクタ１を取り外したものを使用してもよい。コネクタ１の取り外しについては、噛み合っている爪１１ｂと爪１２ｂとの連結解除の操作を行うことで、容易に実施できる。
【００３０】
ルアースリップタイプでの接続は、シリンジ５のルアー部５１を相手方の医療器具におけるポートに挿入するだけである。例えば、混注ポート７に対してシリンジ５を接続する場合にあっては、シリンジ５のルアー部５１をカバー体７１にも受けられた弁体（不図示）に挿入してゆくだけで完了する。これにより、シリンジ５の筒内部と混注ポート７の管７２、７３の管内部とが連通することになる。
【００３１】
なお、混注ポート７における弁体は、弾性を有する薄膜状をしており、その一部にルアー部５１を受け入れるためのスリットなどが設けられている。これらについての事項は、すでに公知であるので、ここでの説明を省略する。
次に、シリンジ５に注射針８を接続する場合には、シリンジ５のルアー部５１に対して注射針８の針基８２を挿入して行く。シリンジ５と注射針８とは、ルアー部５１の外周面５１ｆに針基８２の内周面８２ｆが密着した時点で接続される。そして、図示を省略しているが、針管８１は、針基８２の内方にも突設された状態にあるが、上記接続によりその部分がルアー部５１の内孔に挿入される。針基８１とルアー部５１の内孔とは、シリンジ５に注射針８を接続した状態で密に嵌合されている。即ち、シリンジ５を使用する際に、これらの間から薬液が漏れ出したり、あるいは細菌などが侵入しないようになっている。
【００３２】
以上、２つの例を示して、ルアースリップタイプでのシリンジ５と他の医療器具との接続について説明したが、図３のシリンジ５はコネクタ１が接続されていないので、迅速にルアースリップタイプでの接続が実施できる。
なお、上記２つの例以外にも、ルアースリップタイプによりシリンジ５との接続を行う医療器具は種々あるが、その操作などについては上記同様である。
（コネクタ１およびコネクタ１が付帯されたシリンジ５の優位性）
上述のように、本発明の実施の形態に係るコネクタ１は、上記図１に示すように、分割型１１、１２と連結部１３とから構成されており、２つの分割型１１、１２の連結操作をもって、容易にシリンジ５への装着が可能であり、且つ、爪１１ｂ、１２ｂの噛み合わせの解除と分離型１１、１２の開操作をもって、容易に脱離も可能である。一方、爪１１ｂ、１２ｂの噛み合わせの解除操作を実施しない限り、分離型１１、１２がシリンジ５の操作中などに開いてしまうようなこともない。
【００３３】
従って、ユーザは、必要に応じてコネクタ１をシリンジ５に着脱することができることから、コネクタ１は、コスト面におけるユーザの負担を軽減し、且つ、シリンジ５の使用時における作業性の低下を招くことがないとともに、ルアースリップタイプおよびルアーロックタイプの両接続タイプの接続形態をもってシリンジ５を他の器具のポートに対して接続することができる、という優位性を有する。このような優位性については、コネクタ１が付帯されたシリンジ５についても同様に有する。
【００３４】
また、上記図３に示すように、シリンジ５に対して注射針８を接続する場合には、コネクタ１を取り外した状態で作業を行うので、誤穿刺の危険を回避するのにも有効である。
なお、コネクタ１は、シリンジ５に対して一対一の関係をもってユーザに供される必要は必ずしもなく、それ単独でユーザに供されてもよい。この場合には、ユーザが必要に応じてシリンジ５に対してコネクタ１の着脱を実施すればよい。
【００３５】
また、医療現場における治療や検査などにおいて、上記コネクタ１が取り付けられたシリンジ５を用いれば、ポートに対するシリンジの接続タイプに応じてコネクタ１の取り付け、取り外しを選択的に実施できる。よって、上記コネクタ１付のシリンジ５を用いれば、医療現場における効率を高いものとすることができる。
（実施の形態２）
実施の形態２に係るコネクタ２について、図４を用いて説明する。
【００３６】
図４に示すように、コネクタ２は、分割型２１、２２を構成要素として有しており、これらが別部材として分離状態にある点が上記コネクタ１と異なる。即ち、上記実施の形態１におけるコネクタ１の構成から連結部１３を取り去ったものが、本変形例に係るコネクタ２であるといえる。ただし、コネクタ２には、分割型２１、２２において、上記連結部１３が接続されていた箇所に相当する部分にも各々爪２１ｂ、２２ａが形成されている。
【００３７】
コネクタ２における他の構成については、上記コネクタ１と同様であるので、説明を省略する。
シリンジ５へのコネクタ２の取り付けは、分割型２１、２２が分離した状態で、各々の切り欠き２１ｈ、２２ｈをシリンジ５における首部５３に沿わせ、分割型２１の爪２１ｂと分割型２２の爪２２ｂとを噛み合わせることで実現される。このとき、切り欠き２１ｈ、２２ｈの内径と、シリンジ５におけるルアー部５１の最大外径および首部５３の外径との関係については、上記実施の形態１に係るコネクタ１と同一である。
【００３８】
シリンジ５からのコネクタ２の取り外しは、上述の操作と逆に、爪２１ｂ、２２ｂの噛み合わせを解除することで容易に実施できる。よって、本変形例に係るコネクタ２を用いる場合にも、ユーザは必要に応じてコネクタ２をシリンジ５に対して容易に着脱をすることができる。
従って、本実施の形態のコネクタ２も、コスト面におけるユーザの負担を軽減し、且つ、シリンジ５の使用時における作業性の低下を招くことがないとともに、ルアースリップタイプおよびルアーロックタイプの両接続タイプの接続をもってシリンジ５と他の医療器具のポートとを接続することができる、という優位性を有する。
（実施の形態３）
実施の形態３に係るコネクタ３について、図５を用いて説明する。
【００３９】
図５に示すように、コネクタ３は、分割型３１、３２の分割バランスが上記コネクタ１とは異なっている点に特徴を有する。即ち、上記コネクタ１では、有底円筒体を軸対象に二分して分割型１１、１２を構成していたのに対して、本変形例に係るコネクタ３は、分割型３２が有底円筒体の底面およびその近傍部分だけを分割した形状を有している。
コネクタ３における開閉動作については、上記図１で示したコネクタ１の場合と基本的に同一である。
【００４０】
このコネクタ３では、上記コネクタ１が有していた優位性に加えて、コネクタ３を他の医療器具（例えば、図２における延長チューブ６。）に螺合させて行く際のコネクタ３の円筒部の剛性が上記コネクタ１などより高いという優位性を有している。つまり、コネクタ３の雄ネジ３１ａと他の医療器具の雌ネジとを螺合させ、コネクタ３を他の医療器具に接合する際には、コネクタ３の円筒部には径方向外向きにも力を受けることになる。このとき、円筒部で分割されていないコネクタ３は、円筒部で分割されている上記コネクタ１よりも径方向に高い剛性が得られるという点から優位である。
【００４１】
このことは、コネクタ３を用いることにより、より強固にシリンジと他の医療器具のポートとを拘止できるということを意味する。
（その他の事項）
上記発明の実施の形態１〜３では、３種類のコネクタ１、２、３を例に本発明の特徴及び作用・効果を説明したが、本発明は、これに限定を受けるものではない。
【００４２】
また、上記実施の形態１では、シリンジとして予め中に薬液が充填されたプレフィルドシリンジを一例として用いたが、これ以外のシリンジの場合にも、上述の作用・効果に変わりはない。
さらに、上記実施の形態１〜３では、コネクタ１、２、３とシリンジ５との接続を、シリンジ５におけるルアー部５１の根元側に形成された首部５３をもって実施するものとしたが、必ずしも首部５３をルアー部５１の根元側に形成する必要はない。例えば、シリンジ本体５２の外周面に一部くびれた部分（この部分が首部に相当することになる。）を設けておき、コネクタをこれに対応した構成としておけば、上記と同様の作用・効果を得ることができる。
【産業上の利用可能性】
【００４３】
本発明に係る接続具付シリンジおよび接続具は、ルアースリップタイプおよびルアーロックタイプの両接続タイプのポートに対応可能であり、コスト面におけるユーザの負担軽減に効果を奏する。
【図面の簡単な説明】
【００４４】
【図１】（ａ）は、実施の形態１に係るコネクタ１の斜視図であり、（ｂ）は、コネクタ１の正面図である。
【図２】接続時におけるコネクタ１と延長チューブ６との関係を示す斜視図である。
【図３】コネクタ１を取り付けず、ルアースリップタイプの接続形態をもって混注ポート７あるいは注射針８を接続する際の側面図である。
【図４】実施の形態２に係るコネクタ２とシリンジ５との関係を示す斜視図である。
【図５】実施の形態３に係るコネクタ３の形状を示す斜視図でる。
【符号の説明】
【００４５】
１、２．コネクタ
５．シリンジ
６．延長チューブ
７．混注ポート
８．注射針
【図１】
2005296140.tif 000003
【図２】
2005296140.tif 000004
【図３】
2005296140.tif 000005
【図４】
2005296140.tif 000006
【図５】
2005296140.tif 000007